(57)【要約】【課題】表示パネルのスライド量を小さくでき、メモリーカードやカード用スロットカバーの落下を防止する電子機器を提供する。【解決手段】電子機器本体１２と、電子機器本体１２の前面に配置され、電子機器本体１２の前面を覆う閉じ位置と前面に設けた表示面の向きを手前に傾けた状態である開き位置の間で可動可能な表示パネル２と、表示パネル２が開き位置にあるときに電子機器本体１２から露出する表示パネル２の上面部に、メモリーカード１４を収容可能としたカード用スロット１５を設けた。【選択図】      図２
2015012123.tif 000002
【特許請求の範囲】
【請求項１】
電子機器本体と、
前記電子機器本体の前面に配置され、前記電子機器本体の前面を覆う閉じ位置と前面に設けた表示面の向きを手前に傾けた状態である開き位置の間で可動可能な表示パネルと、
前記表示パネルが開き位置にあるときに前記電子機器本体から露出する前記表示パネルの上面部に設けた、メモリーカードを収容可能とするカード用スロットと、
を設けたことを特徴とする電子機器。
【請求項２】
前記表示パネルの上面奥側にヒンジ部を設け、前記カード用スロットを覆うように配置されたカードスロット用カバーを有し、
前記カードスロット用カバーは、前記ヒンジ部を軸として開いたとき、前記カードスロット用カバーのヒンジ部と反対側の部分が前記電子機器本体側に当接するよう構成されていることを特徴とする請求項１記載の電子機器。
【請求項３】
前記カード用スロットが形成される前記表示パネルの上面部は、前記表示パネルが閉じ位置にあるとき前記電子機器本体の一部により覆われていることを特徴とする前記請求項１または２記載の電子機器。
【発明の詳細な説明】
【技術分野】
【０００１】
本発明は、電子機器に係り、特に、電子機器本体の前面において可動する表示パネルと、情報が記憶されたメモリーカードを収容するためのカード用スロットが形成された電子機器に関するものである。
【背景技術】
【０００２】
ＣＤ（Compact Disc）、ＤＶＤ（Digital Versatile Disc）などを再生可能な、ＡＶ（Audio Visual）一体型のカーナビゲーション装置のような車載用電子機器は、電子機器本体の前面を構成するサブパネルにＣＤやＤＶＤ等のディスク状の記録媒体を挿入するためのディスク用スロットを設け、その前面側を覆うように可動する表示パネルが設けられている。
【０００３】
この表示パネルに操作画面やコンテンツを表示する液晶表示部を設けたり、各種操作キーを配設することができるため、多機能化や表示画面の大型化に好適で広く用いられている（例えば、特許文献１参照）。
【０００４】
図５、図６に示すように、この種の車載用電子機器１１０においては、電子機器本体１１２に前後進可能なスライド部１１３が組み込まれ、表示パネル１０１の下部に回転可能に連結されており、モータの駆動で動作するスライド部１１３が電子機器本体１１２の奥側から手前側へ移動することで、表示パネル１０１が電子機器本体１１２を覆う状態から表示パネル１０１が傾倒した状態に移動するようになっている。
【０００５】
これにより、電子機器本体１１２の前面を塞ぐように取り付けられたサブパネル１０２に設けられたディスク用スロット１１１が露出して記録媒体を挿入および排出させることができる。
【０００６】
また、ＳＤ（Secure Digital）カード等の情報が記録されたメモリーカード１４を使用できるようにした車載用電子機器１１０が実用化されている。図６に示すように、メモリーカード１４を使用可能とした車載用電子機器１１０においては、サブパネル１０２のディスク用スロット１１１より下側にカード用スロット１１５が開設されており、表示パネル１０１を前述のディスク用スロット１１１が露出する傾倒位置からさらに傾斜が大きくなるようにスライド部１１３を駆動することにより、カード用スロット１１５を露出させてメモリーカード１４の挿入および排出ができるようになっている。
【０００７】
そして、このカード用スロット１１５は、音楽などのコンテンツを記録した比較的出し入れ頻度の高いＳＤカードを収容する第一のカード用スロット１１５ａと、ナビゲーション用の地図データなどの比較的出し入れ頻度が低い第二のカード用スロット１１５ｂの2つを設けたものがあり、第二のカード用スロット１１５ｂには、埃除けのカードスロット用カバー１１６がはめ込まれている。
【先行技術文献】
【特許文献】
【０００８】
【特許文献１】特開２０１１−２２５１８１号公報
【発明の概要】
【発明が解決しようとする課題】
【０００９】
従来の電子機器では、サブパネル１０２の上部分に、交換頻度の高い音楽情報等が記録されたディスクを収容するディスク用スロット１１１が設けられており、これよりも交換頻度が低いメモリーカード１４が収容されるカード用スロット１１５は、ディスク用スロット１１１よりも下側に設けることが多い。このため、メモリーカード１４を出し入れするためには、表示パネル１０２を大きく傾かせてカード用スロット１１５を露出させる必要があった。
【００１０】
表示パネル１０１を大きく傾かせるためには、表示パネル１０１を駆動するためのスライド部１１３を構成するスライダ１０４の全長を長くすることが必要になり、電子機器本体１１２の奥行き方向の寸法が長くなる要因となり、装置の大型化に伴う重量増、コスト増が課題となっていた。
【００１１】
また、表示パネル１０１の下端が手前に大きくせり出してくることにより、車載用電子機器１１０として用いた場合、車両のシフトレバーなどと干渉しやすくなりこれを回避するために設計の自由度に制限があった。
【００１２】
一方、ＳＤカードのように小型化のメモリーカード１４や、カード用スロットカバー１１６は、出し入れする際に、誤って落下させてしまうことがあった。
その場合、メモリーカード１４やカード用スロットカバー１１６が表示パネル１０１とサブパネル１０２の間の狭いスペースに入り込んで取り出しにくく、電子機器本体１１２の内部へ入り込んで回収できなくなり故障の原因となる虞があった。
【００１３】
すなわち、図６に示すように傾倒状態の表示パネル１０１の上部裏側とサブパネル１０２との間には、開閉動作中の干渉を避けるために隙間Ｄを確保しておかねばならないので、小型で薄いメモリーカード１４や、カード用スロットカバー１１６を誤って落としてしまうと、この隙間をすり抜けてサブパネル１０２の外枠部１０２ｂの下縁部上に乗ってしまう可能性がある。この場所は表示パネル１０１に覆われていて目視困難であり、回収が容易でない。そして、この状態でスライド部１１３による表示パネル１０１の動作を行うと挟まれたメモリーカード１４またはカード用スロットカバー１１６が電子機器本体１１２内に食い込んで故障の原因となる危険性が高まる。
【００１４】
本発明の目的は、表示パネルのスライド量を小さくでき、メモリーカードやカード用スロットカバーの落下を防止する電子機器を提供することにある。
【課題を解決するための手段】
【００１５】
上記目的を達成するために、本発明の電子機器は、電子機器本体１２と、電子機器本体１２の前面に配置され、電子機器本体１２の前面を覆う閉じ位置と前面に設けた表示面の向きを手前に傾けた状態である開き位置の間で可動可能な表示パネル１と、表示パネル１が開き位置にあるときに電子機器本体１２から露出する前記表示パネル１の上面部に設けたメモリーカード１４を収容可能とするカード用スロット１５を設けたことを特徴とする。
【００１６】
また、表示パネル１の上面奥側にヒンジ部１６ａを有しカード用スロット１５を覆うように配置されたカードスロット用カバー１６を設け、カードスロット用カバー１６は、ヒンジ部１６ａを軸として開いたとき、カードスロット用カバー１６のヒンジ部１６ａと反対側の部分が電子機器本体１２側に当接するように構成することが好ましい。
【００１７】
また、カード用スロット１５が形成される表示パネル１の上面部は、表示パネル１が閉じ位置にあるとき電子機器本体１２の一部により覆われるように構成することが好ましい。
【発明の効果】
【００１８】
本発明における電子機器によれば、メモリーカードを出し入れする際にカード用スロットを露出させるための表示パネルの傾斜角を小さくできるので装置の小型化が図れる。
また、メモリーカードや、カード用スロットカバーを表示パネルとサブパネルの間に落とし込むことを防止できる。
【図面の簡単な説明】
【００１９】
【図１】本発明の実施形態例に係る車載用機器の斜視図である。
【図２】本発明の実施形態例に係る車載用機器の側面図である。
【図３】本発明の表示パネルの閉じ位置状態を示す部分側面図である。
【図４】本発明の表示パネルの動きを説明する部分側断面図である。
【図５】従来構造を説明する車載用機器の斜視図である。
【図６】従来構造を説明する車載用機器の側断面図である。
【発明を実施するための形態】
【００２０】
以下、本発明の実施形態例を図１〜図４を参照しつつ説明する。なお、図１において、Ｘ軸を前後方向とし、プラス側を手前側、マイナス側を奥側とし、Ｙ軸方向を左右方向、Ｚ軸を上下方向とする。
これらの図に示す電子機器は、ＣＤやＤＶＤなどが再生可能なＡＶ一体型のカーナビゲーション装置のような車載用電子機器１０であり、車室内のインダッシュパネル等に形成された凹所部に収納固定されるようになっている。
【００２１】
この車載用電子機器１０は、電子機器本体１２の筐体３の前面開口部を覆う位置に取り付けられたサブパネル２と、電子機器本体内下部で図示しないモータを駆動源として前後方向へ往復移動されるスライド部１３と、このスライド部１３に連結されてその動きに合わせてサブパネル２を覆う閉じ位置とサブパネル２を露出させる開き位置の間に移動可能な表示パネル１を備えている。
【００２２】
この表示パネル１には、コンテンツを表示する液晶表示部８が設けられ、その表面にはタッチパネルが装着されて液晶表示部８に操作画面を表示することで、操作指示を受付けるようになっている。
【００２３】
サブパネル２は外周縁を包囲するように前方に突出する矩形状の外枠部２ｂが一体に形成されており、表示パネル１が閉じ位置にあるときに表示パネル１の外周は外枠部２ｂにより取り囲まれる状態となる。
【００２４】
サブパネル２の上部にはＣＤやＤＶＤ等のディスク状記録媒体を挿入、排出するためのディスク用スロット１１が開口している。
【００２５】
サブパネル２の下部には、外枠部２ｂの下辺に沿って延在する下部開口が開口し、スライド部１３が挿通されている。
【００２６】
表示パネル１は起立姿勢（閉じ位置）のときにはサブパネル２を覆っているが、この閉じ位置状態においてスライド部１３を前記モータの正転駆動力で前進（手前へ移動）させると、表示パネル１が後傾してディスク用スロット１１が露出し、ＣＤやＤＶＤなどのディスク状記憶媒体の挿入および排出ができるようになる。
【００２７】
次に表示パネル１の表示面の向きを手前方向に傾ける動作について、図３、図４を用いて説明する。
電子機器本体１２の筐体３にスライド部１３を構成するスライダ４が前後方向に可動に取り付けられている。スライダ４は図示していないモータなどの駆動機構により前後方向に駆動される。スライダ４に立設されたアーム回動中心軸４ａはアーム５を回動自在に支持している。
【００２８】
アーム５の前部に立設された第１の軸５ａは表示パネル１の下部支点１ｂに回動自在に支持され、アーム５の後部に立設された軸に回転自在に支持されたローラ５ｂは車載機器本体１２に固定されたローラガイド６に設けられたカム６ａに圧接されている。
【００２９】
アーム５は図示していないばねより反時計方向に付勢されており、ローラ５ｂがカム６ａから離れたときにアーム５の回動を規制する図示していないストッパがスライダ４に設けられている。
【００３０】
表示パネル１に立設された上部軸１ａにレバー９が回動自在に支持されており、レバー９に立設された第２の軸９ａはローラ７を回転自在に支持している。ローラ７はサブパネル２の左右の外枠の内面に設けられたガイド溝２ａに係合している。レバー９の折曲げ片９ｂは表示パネル１と当接可能となっており、レバー９の表示パネル１に対する回動範囲が規制される。
【００３１】
スライダ４、ガイド溝２ａ、アーム５、レバー９および第２の軸９ａは表示パネル１の両側部に対称に設けられている。そして、両側のスライダ４は一体構造となっている。表示パネル１には液晶表示部８が取り付けられている。
【００３２】
スライダ４は図３に示す位置を初期状態として前方にも後方にも駆動される。図４はスライダ４が図３に示す位置から後方に駆動されるときの表示パネル１の軌跡を示している。
【００３３】
図４に示すように、スライダ４の後方への移動に伴いローラ５ｂは後方に移動するが、ローラ５ｂはカム６ａに圧接されており、スライダ４の後方への移動に伴い第１の軸５ａは後方に移動すると共に上方に移動する。このとき表示パネル１には上向きの力が作用するが、第２の軸９ａはガイド溝２ａの上端に位置しており動かない。
【００３４】
そして、表示パネル１は上部軸１ａ回りに回動する。そのとき、レバー９は第２の軸９ａを回動中心として時計方向に回動する。このような動きにより表示パネル１の前面を下向きに傾けることができる。
【００３５】
表示パネル１が前面を下向きに傾けると露出する表示パネル１の上面側にカード用スロット１５が設けてある。
そして、カード用スロット１５を保護するように表示パネル１の上面奥側にヒンジ部１６ａが位置するようにカードスロット用カバー１６が設けてある。
カードスロット用カバー１６を開いたとき、カードスロット用カバー１６が表示パネル１からサブパネル２を橋渡しする態様となるようにすることで、表示パネル１上部裏側とサブパネル２の間の隙間を無くし、カード等の落下を防止するようになっている。
【００３６】
スライダ４が図３に示す位置から前方に駆動されると、スライダ４の前進に伴い第１の軸５ａは前進すると、アーム５はスライダ４の前記ストッパと当接して回動が停止される。
【００３７】
表示パネル１の下方部が前方に移動するとき、レバー９の折曲げ片９ｂが表示パネル１と当接してレバー９は表示パネル１と一体となって動く。そして、レバー９に立設された第２の軸９ａはガイド溝２ａに案内されて下方に大きく移動する。このよう表示パネル１が傾斜することでサブパネル２に設けられたディスク用スロット１１が露出しＣＤ、ＤＶＤなどのディスク状記録媒体の出し入れが可能となる。
【００３８】
カード用スロット１５は、閉じ位置にあるときに電子機器本体１２の前面部であるサブパネル２の外枠部２ｂにより覆われた位置にあるので、埃よけとなり、無用なメモリーカードのイジェクトを防止する。
【００３９】
以上説明したように、本実施形態例に係る電子機器は、表示パネルのスライド量を小さくでき、メモリーカードやカード用スロットカバーの落下を防止する電子機器を提供することができる。
【符号の説明】
【００４０】
１      表示パネル
２      サブパネル
２ｂ    外枠部
１０    車載用電子機器
１１    ディスク用スロット
１２    電子機器本体
１３    スライド部
１５    カード用スロット
１６    カードスロット用カバー
１６ａ  ヒンジ部
【図１】
2015012123.tif 000003
【図２】
2015012123.tif 000004
【図３】
2015012123.tif 000005
【図４】
2015012123.tif 000006
【図５】
2015012123.tif 000007
【図６】
2015012123.tif 000008